(57)【要約】      （修正有）【課題】譜面を一切見ることなく、自動伴奏に合わせて主旋律を弾くことを可能にする伴奏機能付きキーボードを提供する。【解決手段】複数の楽曲の伴奏データを記憶し、記憶した伴奏データに基づいて伴奏を再生する。さらに、楽曲の主旋律をいわゆる移動ド唱法で歌う歌声データを記憶し、指定した楽曲の歌声データを読み出して歌声を再生する音声ナビゲーション手段と、指定した楽曲の調に対応する移動ド音階の鍵盤の位置を示す鍵盤名表示部３と、を備える。【選択図】図２
2017125955.tif 000002
【特許請求の範囲】
【請求項１】
複数の楽曲の伴奏データを記憶する記憶手段と、記憶した伴奏データに基づいて伴奏を再生する自動伴奏手段と、を備える伴奏機能付きキーボードであって、
前記記憶手段は、さらに、楽曲の主旋律をいわゆる移動ド唱法で歌う歌声データを記憶し、
指定した楽曲の前記歌声データを、前記記憶手段から読み出して歌声を再生する音声ナビゲーション手段と、
指定した楽曲の調に対応する移動ドの音階の鍵盤位置を示す鍵盤名表示部と、を備えることを特徴とする伴奏機能付きキーボード。
【発明の詳細な説明】
【技術分野】
【０００１】
本発明は、自動伴奏機能を備えるキーボードに関する。
【背景技術】
【０００２】
従来のキーボードには、カシオ計算機社製ＬＫ−２２２のように、鍵盤が光ることにより、打鍵する位置を教えてくれる光ナビゲーション機能を備えるものが存在する。このＬＫ−２２２の取扱説明書（非特許文献１）によると、「光ナビ機能」と「らくらく機能」により、内蔵曲の自動伴奏に合わせて練習をする際に、伴奏に先駆けて鍵盤が光り、演奏者が正しい鍵盤を弾くまで伴奏が待つため、初心者でも簡単に演奏を楽しめる。
【先行技術文献】
【非特許文献】
【０００３】
【非特許文献１】ＬＫ−２２２取扱説明書、カシオ計算機株式会社、平成２７年１１月９日検索、インターネットＵＲＬ＜http://support.casio.jp/storage/pdf/008/Web_LK222-JA-1A_JA.pdf＞
【発明の概要】
【発明が解決しようとする課題】
【０００４】
しかしながら、伴奏に合わせて光る鍵盤を追う練習方法は、鍵盤を打鍵する位置やその順序を指や手が覚え込むまで、長時間の努力と忍耐が必要である。また、譜面を見ながら反復練習をする方法は、調合のつかないハ長調の曲であれば、初心者にとっても演奏は比較的容易であるが、例えば、ホ長調の楽曲は、譜面に４つものシャープ記号を有するため、初心者は譜面を一見しただけでは、どの鍵盤を弾けばよいかを把握することは難しい。そのため、調合の複数ついた譜面を見ると途端に難しく感じてしまい、練習を中途挫折してしまう人も少なくない。
【０００５】
たとえ鍵盤楽器の演奏が全くできない人であっても、お気に入りの童謡や唱歌などのメロディをドレミの歌で覚え、口遊むことは多くの人にとって容易なことである。
【０００６】
本発明は、上記事情を鑑みたものであり、譜面を一切見ることなく、自動伴奏に合わせて主旋律を弾くことを可能にし、楽しく練習を継続することのできる伴奏機能付きキーボードを提供することを目的とする。
【課題を解決するための手段】
【０００７】
本発明は、複数の楽曲の伴奏データを記憶する記憶手段と、記憶した伴奏データに基づいて伴奏を再生する自動伴奏手段と、を備える伴奏機能付きキーボードであって、前記記憶手段は、さらに、楽曲の主旋律をいわゆる移動ド唱法で歌う歌声データを記憶し、指定した楽曲の前記歌声データを、前記記憶手段から読み出して歌声を再生する音声ナビゲーション手段と、指定した楽曲の調に対応する移動ドの音階の鍵盤位置を示す鍵盤名表示部と、を備えることを特徴とする。
【０００８】
移動ド唱法とは、階名唱法とも呼ばれており、何調の楽曲であっても主音を「ド」として音階を相対的に認識し、ドレミで歌う方法である。
【発明の効果】
【０００９】
本発明によれば、移動ド唱法で歌う音声ナビゲーション手段によって、何調の楽曲であっても、主旋律をドレミの歌で歌いながら、気楽な気持ちで楽しく覚えることができる。主旋律を耳で記憶することは、譜面と鍵盤から音階を視覚的に捉え、指や手によって覚え込んで暗譜をする方法よりも効率的である。また、移動ド唱法の聴き取りは相対音感のトレーニングにもなるため、豊かな音感を身につけるのに有効である。
移動ド唱法によって覚えた主旋律に対応する鍵盤の位置は、鍵盤名表示部により一目瞭然であるため、譜面を全く見ることなく片手で主旋律を演奏することが可能となる。
そして、自動伴奏手段によって、さまざまな楽器による伴奏に合わせて演奏できるため、難易度の高いクラシック音楽であっても、片手で主旋律を弾くだけで、まるでオーケストラと共演しているかのような重厚感溢れる演奏を実現することができ、演奏者自身が幸せな気分に浸ることができる。
さらに、両手で演奏する自信のない初心者であっても、片手の演奏に集中できるだけでなく、テンポを演奏者の技量に合わせて設定することで、主旋律に感情を込め、より丁寧に演奏することが可能となり、自動伴奏と合せて演奏することで、聴く人のために心の籠った感動のおもてなしをすることができる。
【図面の簡単な説明】
【００１０】
【図１】本発明の概略構成を示すブロック図である。
【図２】本発明の実施形態を示した平面図である。
【図３】ト長調の楽曲を選んだ場合の鍵盤名表示部の一部を示した平面図である。
【図４】へ長調の楽曲を選んだ場合の鍵盤名表示部の一部を示した平面図である。
【図５】二長調の楽曲を選んだ場合の鍵盤名表示部の一部を示した平面図である。
【図６】変ロ長調の楽曲を選んだ場合の鍵盤名表示部の一部を示した平面図である。
【図７】イ長調の楽曲を選んだ場合の鍵盤名表示部の一部を示した平面図である。
【図８】変ホ長調の楽曲を選んだ場合の鍵盤名表示部の一部を示した平面図である。
【図９】ホ長調の楽曲を選んだ場合の鍵盤名表示部の一部を示した平面図である。
【図１０】変イ長調の楽曲を選んだ場合の鍵盤名表示部の一部を示した平面図である。
【図１１】ハ長調の楽曲を選んだ場合の鍵盤名表示部の一部を示した平面図である。
【図１２】ハ長調の楽曲を選んだ場合の英語圏向けの鍵盤名表示部の一部を示した平面図である。
【図１３】ハ長調の楽曲を選んだ場合のドイツ語圏向けの鍵盤名表示部の一部を示した平面図である。
【発明を実施するための形態】
【００１１】
以下、本発明の実施の形態を図面に基づいて説明する。図１は本実施の形態に係る伴奏機能付きキーボード１の概略構成を示すブロック図である。図１に示すように、本実施の形態に係る伴奏機能付きキーボード１は、鍵盤２、鍵盤名表示部３、表示画面４、操作部５、ＣＰＵ１０、ＲＯＭ１１、ＲＡＭ１２、および、音響システム１３を備える。
【００１２】
ＲＯＭ１１は、ＣＰＵ１０に実行させる各種制御プログラムを記憶する。また、ＲＯＭ１１は複数の楽曲の伴奏データ、歌声データ、および鍵盤名表示部３に表示される各調の音階データを、楽曲名、作曲者名等の楽曲情報と関連付けて記憶する。
【００１３】
歌声データは、楽曲の主旋律をいわゆる移動ド唱法で歌う歌声のデータであり、本発明の音声ナビゲーション手段とは、演奏者が指定した楽曲の主旋律の歌声を、ＲＯＭ１１に記憶された歌声データに基づいて、音響システム１３から出力するものである。この歌声は、人が歌う歌声を録音したものに限られず、コンピューターによって発せられる歌声であってもよい。
【００１４】
移動ド唱法とは、主音を「ド」としてドレミファソラシドの階名で歌う方法である。例えば、ト長調の楽曲であれば、主音は「ソ」であり、「ファ」にシャープ記号が付くため、「ソラシドレミファ♯ソ」がひとつの音階である。これを移動ドの方法に従うと、図３に示すように、主音の「ソ」を「ド」と読み、「ファ♯」を「シ」と読むことができる。
なお、英語圏では、音名にＣＤＥＦＧＡＢを用い、ドイツ語圏では、ＣＤＥＦＧＡＨを用いるため、本発明において歌声データを、ＣＤＥＦＧＡＢまたは、ＣＤＥＦＧＡＨで歌うものとしてもよい。
【００１５】
伴奏データは、打楽器や弦楽器、鍵盤楽器等の一つ以上のさまざまな楽器によって演奏される伴奏に基づくものである。
【００１６】
歌声データと伴奏データは適宜外部から追加することも可能である。伴奏と歌声とを合わせて再生させることもできるが、伴奏と歌声はそれぞれ独立して再生することもできる。また、伴奏と歌声とを合わせて再生する場合に、伴奏と歌声にずれを生じさせ、伴奏に先駆けて歌声を再生するように設定することで、演奏者が伴奏に合わせて打鍵すべき音が歌声でナビゲートされる。また、歌声と伴奏はそれぞれ、テンポを変えることも可能であり、テンポを変えても音程は変化しない。
【００１７】
鍵盤２は、鍵盤数を問わないが、６１鍵が好ましい。
【００１８】
鍵盤名表示部３は、図２に示すように、演奏者から見て鍵盤２の奥側に位置し、演奏者が指定した楽曲の移動ドの音階に対応する鍵盤２の位置を表示するものである。例えば、ト長調の楽曲は、上記したように、移動ドに従うと、主音の「ソ」を「ド」と読み、「ファ♯」を「シ」と読む。よって、演奏者がト長調の楽曲を指定すると、図３に示すように、鍵盤名表示部３は、本来「ソ」の位置である鍵盤上に「ド」と表示され、本体「ファ♯」の位置である鍵盤上に「シ」が表示される。
さまざまな楽曲の中には、曲中に調が変わる、いわゆる転調をするものもあるため、鍵盤名表示部３は、伴奏に合わせて調が変化するものであってもよい。また、例えばイ短調の楽曲である「エリーゼのために」のように、曲中で臨時記号を要する楽曲もあるため、鍵盤名表示部３は、伴奏に合わせて、臨時記号に従った鍵盤位置を一時的に表示するものであってもよい。
【００１９】
鍵盤名表示部３は液晶画面で、指定した楽曲の調に従って自動で表示が切り替わるものでもよいし、紙製やプラスチック製等のシート状のもので、演奏者が楽曲の調と対応するものを自ら設置するものであってもよい。鍵盤名表示部３の配置は、演奏者から見て鍵盤２の奥側の位置に限定されることはなく、たとえば演奏者から見て鍵盤２の手前側や黒鍵及び白鍵上など、移動ドの音階に対応する鍵盤２の位置を演奏者が認識できる位置であればよい。また、鍵盤名表示部３は、図３乃至図１３に示すように黒鍵と白鍵を区別できるように、黒鍵の表示位置を白鍵の表示位置よりも演奏者から見て奥側に表示するものであってもよいし、黒鍵と白鍵を区別せず、各鍵の表示位置を一直線上に並べて表示するものであってもよい。さらに、図１２および図１３に示すように、音名にＣＤＥＦＧＡＢを用いる英語圏、ＣＤＥＦＧＡＨを用いるドイツ語圏に合わせてアルファベット表示にしてもよい。鍵盤名表示部は図３乃至図１３に示す実施形態に限られるものではなく、他のすべての調に対応するものを含む。
【００２０】
表示画面４は、再生中の楽曲名のほか、調、作曲者、テンポ等を表示する。
【００２１】
操作部５は、スタート／ストップ、楽曲指定、音量、テンポ等を操作する種々のスイッチを含む。
【００２２】
次に、本発明を用いた練習方法の一例を説明する。
（１）演奏者はまず、本発明の伴奏機能付きキーボード１に記憶された楽曲の中から、一つの楽曲を指定し、その楽曲に対応する歌声を再生する。
（２）再生した歌声に合わせ、主旋律をドレミで歌う練習をする。これを何度も繰り返すことにより、演奏者は楽曲の主旋律を移動ドの音階で記憶する。
（３）鍵盤名表示部３に、指定した楽曲の調に対応する鍵盤位置を表示した状態で、歌声および伴奏を再生し、歌声と伴奏に合わせてドレミで歌いながら打鍵する練習をする。
（４）主旋律をドレミの歌で記憶できたら、伴奏のみを再生し、鍵盤名表示部３を確認しながら演奏する。
【００２３】
手順（１）では、歌声を単独で再生することもできるし、伴奏と合わせて再生することもできる。また、手順（２）において、ドレミの歌の記憶が不十分な状態であっても、手順（３）において、歌声を伴奏に先駆けて再生することで、鍵盤名表示部３で打鍵すべき位置を確認しながら、伴奏に合わせて演奏をすることができる。
【００２４】
本発明は上記の実施形態に限定されるものではない。
本発明の演奏者として主に、ピアノの譜面が読めない人、メロディのみの演奏ならば、すぐに弾けるようになる人、オーケストラや吹奏楽、あるいはプロの演奏家と一緒にピアノで合奏したい人、が挙げられるが、これに限定されるものではなく、過去にピアノレッスンを受けていた人、難解な曲でピアノレッスンを挫折した人、時間を持て余す年齢になり、ピアノレッスンを再開したいが、楽しく長続きする方法を模索している人にも最適である。
【符号の説明】
【００２５】
１    伴奏機能付きキーボード
２    鍵盤
３    鍵盤名表示部
４    表示画面
５    操作部
１０    ＣＰＵ
１１    ＲＯＭ
１２    ＲＡＭ
１３    音響システム
【図１】
2017125955.tif 000003
【図２】
2017125955.tif 000004
【図３】
2017125955.tif 000005
【図４】
2017125955.tif 000006
【図５】
2017125955.tif 000007
【図６】
2017125955.tif 000008
【図７】
2017125955.tif 000009
【図８】
2017125955.tif 000010
【図９】
2017125955.tif 000011
【図１０】
2017125955.tif 000012
【図１１】
2017125955.tif 000013
【図１２】
2017125955.tif 000014
【図１３】
2017125955.tif 000015